(57)【要約】【課題】本発明は、ＥＴＣカードの盗難の可能性をより減らし、ＥＴＣカードを振動や水滴や塵芥や排熱から保護し、小型化を容易にし、ロック機構を不要とする。【解決手段】本発明は、ＥＴＣカード１１から読み出されたＥＴＣカード情報を、無線通信で自動料金収受用端末装置１から取得し、ＥＴＣカード１１に書き込まれる書き込み情報を、無線通信で自動料金収受用端末装置１に通知するカード側無線通信部２６と、ＥＴＣカード１１から読み出されたＥＴＣカード情報を、無線通信で路側機３に通知し、ＥＴＣカード１１に書き込まれる書き込み情報を、無線通信で路側機３から取得する路側機側無線通信部２７と、ＥＴＣカード１１から読み出されたＥＴＣカード情報及びＥＴＣカード１１に書き込まれる書き込み情報の送受信を管理するセキュリティ部２２と、を備えることを特徴とする自動料金収受用車載装置２である。【選択図】図１
2014032467.tif 000002
【特許請求の範囲】
【請求項１】
ＥＴＣカード情報をＥＴＣカードから読み出し、書き込み情報を前記ＥＴＣカードに書き込むＥＴＣカードリーダライタ部と、
前記ＥＴＣカードリーダライタ部が読み出した前記ＥＴＣカード情報を、無線通信で自動料金収受用車載装置に通知し、前記ＥＴＣカードリーダライタ部が書き込む前記書き込み情報を、無線通信で前記自動料金収受用車載装置から取得する無線通信部と、
前記ＥＴＣカードリーダライタ部及び前記無線通信部に電源を供給する電源供給部と、
を備えることを特徴とする自動料金収受用端末装置。
【請求項２】
ＥＴＣカードから読み出されたＥＴＣカード情報を、無線通信で自動料金収受用端末装置から取得し、前記ＥＴＣカードに書き込まれる書き込み情報を、無線通信で前記自動料金収受用端末装置に通知するカード側無線通信部と、
前記ＥＴＣカードから読み出された前記ＥＴＣカード情報を、無線通信で路側機に通知し、前記ＥＴＣカードに書き込まれる前記書き込み情報を、無線通信で前記路側機から取得する路側機側無線通信部と、
前記ＥＴＣカードから読み出された前記ＥＴＣカード情報及び前記ＥＴＣカードに書き込まれる前記書き込み情報の送受信を管理するセキュリティ部と、
を備えることを特徴とする自動料金収受用車載装置。
【請求項３】
前記自動料金収受用端末装置から読み出された前記自動料金収受用端末装置の識別番号を記憶している不揮発性メモリ部と、
前記カード側無線通信部、前記路側機側無線通信部、前記セキュリティ部及び前記不揮発性メモリ部に供給される電源を取得する電源取得部と、
をさらに備え、
前記セキュリティ部は、前記自動料金収受用端末装置から読み出された前記自動料金収受用端末装置の識別番号の受信を認識してから、前記ＥＴＣカードに書き込まれる課金情報の送受信を認識するまでに、前記電源取得部の取得する電源が一旦オフされて再度オンされたことを認識したときには、電源の再度オンの時点で使用されている自動料金収受用端末装置から読み出された当該自動料金収受用端末装置の識別番号と、前記不揮発性メモリ部に記憶されている前記自動料金収受用端末装置から読み出された前記自動料金収受用端末装置の識別番号と、を比較し、２つの識別番号が一致するときには、電源の一旦オフに続く処理を続行し、２つの識別番号が一致しないときには、電源の一旦オフに続く処理を中止することを特徴とする、請求項２に記載の自動料金収受用車載装置。
【発明の詳細な説明】
【技術分野】
【０００１】
本発明は、有料道路において自動で料金を収受する技術に関する。
【背景技術】
【０００２】
有料道路において自動で料金を収受する技術は、近年は高度に普及しており、例えば特許文献１に開示されている。自動料金収受用装置は、アンテナ及び本体が一体である一体型とアンテナ及び本体が別体である別体型に分類される。
【０００３】
一体型の自動料金収受用装置では、路側機と通信するために、視界に入る位置に設置する必要があるため、ＥＴＣカードの盗難の可能性が高くなる。そして、ＥＴＣカード及びアンテナが一体であるため、小型化が困難である。さらに、特に二輪車の場合には、ＥＴＣカードの盗難を防止するために、ＥＴＣカードのロック機構が必要である。
【０００４】
別体型の自動料金収受用装置では、路側機と通信するために、アンテナを視界に入る位置に設置すればよく、本体を視界に入る位置に設置する必要がないため、ＥＴＣカードの盗難の可能性が低くなる。そして、ＥＴＣカード及びアンテナが別体であるため、小型化が容易である。さらに、特に二輪車の場合でも、本体を視界に入る位置に設置しないため、ＥＴＣカードの盗難を防止するために、ＥＴＣカードのロック機構が必要でない。
【先行技術文献】
【特許文献】
【０００５】
【特許文献１】特開２００１−０７６１９３号公報
【発明の概要】
【発明が解決しようとする課題】
【０００６】
別体型の自動料金収受用装置では、本体を視界に入る位置に設置しないため、ＥＴＣカードを装着したまま車から離れる可能性が高く、ＥＴＣカードの盗難の可能性が残る。そして、特に二輪車の場合には、ＥＴＣカードをシート下に入れるため、密閉されていないＥＴＣカードを振動や水滴や塵芥や排熱から保護する必要がある。
【０００７】
そこで、前記課題を解決するために、本発明は、ＥＴＣカードの盗難の可能性をより減らし、ＥＴＣカードを振動や水滴や塵芥や排熱から保護し、小型化を容易にし、ロック機構を不要とすることを目的とする。
【課題を解決するための手段】
【０００８】
上記目的を達成するために、ＥＴＣカードリーダライタ部及び本体を切り離し、ＥＴＣカードリーダライタ部及び本体で無線通信を実行することとした。
【０００９】
具体的には、本発明は、ＥＴＣカード情報をＥＴＣカードから読み出し、書き込み情報を前記ＥＴＣカードに書き込むＥＴＣカードリーダライタ部と、前記ＥＴＣカードリーダライタ部が読み出した前記ＥＴＣカード情報を、無線通信で自動料金収受用車載装置に通知し、前記ＥＴＣカードリーダライタ部が書き込む前記書き込み情報を、無線通信で前記自動料金収受用車載装置から取得する無線通信部と、前記ＥＴＣカードリーダライタ部及び前記無線通信部に電源を供給する電源供給部と、を備えることを特徴とする自動料金収受用端末装置である。
【００１０】
また、本発明は、ＥＴＣカードから読み出されたＥＴＣカード情報を、無線通信で自動料金収受用端末装置から取得し、前記ＥＴＣカードに書き込まれる書き込み情報を、無線通信で前記自動料金収受用端末装置に通知するカード側無線通信部と、前記ＥＴＣカードから読み出された前記ＥＴＣカード情報を、無線通信で路側機に通知し、前記ＥＴＣカードに書き込まれる前記書き込み情報を、無線通信で前記路側機から取得する路側機側無線通信部と、前記ＥＴＣカードから読み出された前記ＥＴＣカード情報及び前記ＥＴＣカードに書き込まれる前記書き込み情報の送受信を管理するセキュリティ部と、を備えることを特徴とする自動料金収受用車載装置である。
【００１１】
この構成によれば、ＥＴＣカードを運転時には手元に置き停車時には持ち歩くことができるため、ＥＴＣカードの盗難の可能性をより減らし、ＥＴＣカードを振動や水滴や塵芥や排熱から保護し、小型化を容易にし、ロック機構を不要とすることができる。
【００１２】
また、本発明は、前記自動料金収受用端末装置から読み出された前記自動料金収受用端末装置の識別番号を記憶している不揮発性メモリ部と、前記カード側無線通信部、前記路側機側無線通信部、前記セキュリティ部及び前記不揮発性メモリ部に供給される電源を取得する電源取得部と、をさらに備え、前記セキュリティ部は、前記自動料金収受用端末装置から読み出された前記自動料金収受用端末装置の識別番号の受信を認識してから、前記ＥＴＣカードに書き込まれる課金情報の送受信を認識するまでに、前記電源取得部の取得する電源が一旦オフされて再度オンされたことを認識したときには、電源の再度オンの時点で使用されている自動料金収受用端末装置から読み出された当該自動料金収受用端末装置の識別番号と、前記不揮発性メモリ部に記憶されている前記自動料金収受用端末装置から読み出された前記自動料金収受用端末装置の識別番号と、を比較し、２つの識別番号が一致するときには、電源の一旦オフに続く処理を続行し、２つの識別番号が一致しないときには、電源の一旦オフに続く処理を中止することを特徴とする自動料金収受用車載装置である。
【００１３】
この構成によれば、有料道路の入口までに自動料金収受用端末装置及び自動料金収受用車載装置の間の認証を行なった後に、有料道路の途中で自動料金収受用端末装置及び自動料金収受用車載装置の間の認証を再度行なう時に、入口までに認証を行なっている自動料金収受用端末装置及び自動料金収受用車載装置の組み合わせに対しては認証成功とすることができて、入口までに認証を行なっていない自動料金収受用端末装置及び自動料金収受用車載装置の組み合わせに対しては認証失敗とすることができる。よって、ＥＴＣカードリーダライタ部及び本体を切り離したとしても、自動料金収受用端末装置及び自動料金収受用車載装置の組み合わせの間の認証処理を正確に実行することができる。
【発明の効果】
【００１４】
本発明は、ＥＴＣカードの盗難の可能性をより減らし、ＥＴＣカードを振動や水滴や塵芥や排熱から保護し、小型化を容易にし、ロック機構を不要とすることができる。
【図面の簡単な説明】
【００１５】
【図１】本発明の自動料金収受用システムの構成を示す図である。
【図２】本発明の自動料金収受用システムの処理を示す図である。
【発明を実施するための形態】
【００１６】
添付の図面を参照して本発明の実施形態を説明する。以下に説明する実施形態は本発明の実施の例であり、本発明は以下の実施形態に制限されるものではない。
【００１７】
（自動料金収受用システムの構成）
本発明の自動料金収受用システムの構成を図１に示す。自動料金収受用システムは、自動料金収受用端末装置１、自動料金収受用車載装置２及び路側機３から構成される。自動料金収受用端末装置１は、運転時には手元に置き停車時には持ち歩く。自動料金収受用車載装置２は、車体に搭載される。路側機３は、有料道路の入口や出口に設置される。ＥＴＣカードを有する自動料金収受用端末装置１と、本体として機能する自動料金収受用車載装置２は、切り離されており無線通信を実行する。
【００１８】
自動料金収受用端末装置１は、ＥＴＣカード１１、ＥＴＣカードリーダライタ部１２、無線通信部１３及び電源供給部１４から構成される。ＥＴＣカード１１は、ＥＴＣカード番号などのＥＴＣカード情報や課金情報などの書き込み情報を記憶している。ＥＴＣカードリーダライタ部１２は、ＥＴＣカード情報をＥＴＣカード１１から読み出し、書き込み情報をＥＴＣカード１１に書き込む。無線通信部１３は、ＥＴＣカードリーダライタ部１２が読み出したＥＴＣカード情報を、無線通信で自動料金収受用車載装置２に通知し、ＥＴＣカードリーダライタ部１２が書き込む書き込み情報を、無線通信で自動料金収受用車載装置２から取得する。電源供給部１４は、ＥＴＣカードリーダライタ部１２及び無線通信部１３に電源を供給する。
【００１９】
自動料金収受用車載装置２は、ＣＰＵ２１、セキュリティ部２２、ＲＯＭ２３、ＲＡＭ２４、Ｆ（Ｆｅｒｒｏｅｌｅｃｔｒｉｃ）−ＲＡＭ２５、カード側無線通信部２６、路側機側無線通信部２７、電源取得部２８及び信号処理部２９から構成される。ＣＰＵ２１は、自動料金収受用車載装置２全体を制御する。ＲＯＭ２３は、ＣＰＵ２１による制御に必要なプログラムを記憶している。ＲＡＭ２４は、ＣＰＵ２１による制御に必要な一時データを記憶している。Ｆ−ＲＡＭ２５は、自動料金収受用端末装置１から読み出された自動料金収受用端末装置１の識別番号を記憶している。
【００２０】
セキュリティ部２２は、ＥＴＣカード１１から読み出されたＥＴＣカード情報及びＥＴＣカード１１に書き込まれる書き込み情報の送受信を管理する。カード側無線通信部２６は、ＥＴＣカード１１から読み出されたＥＴＣカード情報を、無線通信で自動料金収受用端末装置１から取得し、ＥＴＣカード１１に書き込まれる書き込み情報を、無線通信で自動料金収受用端末装置１に通知する。路側機側無線通信部２７は、ＥＴＣカード１１から読み出されたＥＴＣカード情報を、無線通信で路側機３に通知し、ＥＴＣカード１１に書き込まれる書き込み情報を、無線通信で路側機３から取得する。電源取得部２８は、カード側無線通信部２６、路側機側無線通信部２７、セキュリティ部２２及びＦ−ＲＡＭ２５を含む自動料金収受用車載装置２全体に供給される電源を、車体側から取得する。信号処理部２９は、ＥＴＣカード１１から読み出されたＥＴＣカード情報及びＥＴＣカード１１に書き込まれる書き込み情報の変復調を実行する。
【００２１】
以上に説明したように、自動料金収受用端末装置１及び自動料金収受用車載装置２を切り離し、自動料金収受用端末装置１及び自動料金収受用車載装置２で無線通信を実行する。つまり、自動料金収受用端末装置１を運転時には手元に置き停車時には持ち歩くことができる。よって、ＥＴＣカード１１の盗難の可能性をより減らし、ＥＴＣカード１１を振動や水滴や塵芥や排熱から保護することができる。そして、自動料金収受用車載装置２の小型化を容易にし、ＥＴＣカード１１のロック機構を不要とすることができる。
【００２２】
自動料金収受用車載装置２は、図１に示したように、アンテナと一体である一体型を採用してもよく、図１に示していないが、アンテナと別体である別体型を採用してもよい。自動料金収受用車載装置２は、一体型であっても、ＥＴＣカード１１及びＥＴＣカードリーダライタ部１２を含まないため、小型化を図れる。自動料金収受用車載装置２は、別体型であれば、さらにアンテナを含まないため、さらに小型化を図れる。
【００２３】
（自動料金収受用システムの処理）
以上に説明したように、自動料金収受用端末装置１及び自動料金収受用車載装置２を切り離し、自動料金収受用端末装置１及び自動料金収受用車載装置２で無線通信を実行する。ところで、有料道路の途中で、エンジンを切って電源を落とした後に、エンジンを入れて電源を入れることがある。このとき、有料道路の入口までに自動料金収受用端末装置１及び自動料金収受用車載装置２の間の認証を行なった後に、有料道路の途中で自動料金収受用端末装置１及び自動料金収受用車載装置２の間の認証を再度行なう必要がある。このとき、複数の自動料金収受用端末装置１を持ち合わせていれば、いずれの自動料金収受用端末装置１が入口までに認証を行なったものであるか識別する必要がある。
【００２４】
本発明の自動料金収受用システムの処理を図２に示す。ユーザは、自動料金収受用端末装置１において、電源供給部１４を作動させるスイッチを押す。セキュリティ部２２は、ＥＴＣカードリーダライタ部１２、無線通信部１３及びカード側無線通信部２６を介して、自動料金収受用端末装置１から自動料金収受用端末装置１の識別番号を読み出し、Ｆ−ＲＡＭ２５に自動料金収受用端末装置１の識別番号を書き込む（ステップＳ１）。セキュリティ部２２は、有料道路の入口において、路側機側無線通信部２７を介して、路側機３から入口情報を取得し、Ｆ−ＲＡＭ２５に入口情報を書き込む（ステップＳ２）。
【００２５】
セキュリティ部２２は、自動料金収受用端末装置１から読み出された自動料金収受用端末装置１の識別番号の受信を認識してから、ＥＴＣカード１１に書き込まれる課金情報の送受信を認識するまでに、電源取得部２８の取得する電源が一旦オフされて再度オンされたかどうかを確認する（ステップＳ３）。ステップＳ３においてＮＯであれば、ステップＳ４、Ｓ５を経ず、ステップＳ６、Ｓ７が実行される。ステップＳ３においてＹＥＳであれば、ステップＳ４、Ｓ５を経て、ステップＳ６、Ｓ７が実行される。
【００２６】
まず、ステップＳ３においてＮＯであるときについて説明する。セキュリティ部２２は、有料道路の出口において、Ｆ−ＲＡＭ２５から入口情報を読み出し、路側機側無線通信部２７を介して、路側機３に入口情報を通知する（ステップＳ６）。セキュリティ部２２は、有料道路の出口において、路側機側無線通信部２７を介して、路側機３から課金情報を取得し、カード側無線通信部２６、無線通信部１３及びＥＴＣカードリーダライタ部１２を介して、ＥＴＣカード１１に課金情報を書き込む（ステップＳ７）。
【００２７】
次に、ステップＳ３においてＹＥＳであるときについて説明する。ユーザは、エンジンを入れて電源を入れる。そして、ユーザは、複数の自動料金収受用端末装置１のいずれかにおいて、電源供給部１４を作動させるスイッチを押す。ここで、ユーザが選択した複数の自動料金収受用端末装置１のいずれかは、正しいものであるか誤ったものである。セキュリティ部２２は、ＥＴＣカードリーダライタ部１２、無線通信部１３及びカード側無線通信部２６を介して、自動料金収受用端末装置１から自動料金収受用端末装置１の識別番号を読み出す。そして、セキュリティ部２２は、電源の再度オンの時点で使用されている自動料金収受用端末装置１から読み出された自動料金収受用端末装置１の識別番号と、Ｆ−ＲＡＭ２５に記憶されている自動料金収受用端末装置１から読み出された自動料金収受用端末装置１の識別番号が、一致するかどうか比較する（ステップＳ４）。
【００２８】
２つの識別番号が一致するときには、つまり、ユーザが選択した複数の自動料金収受用端末装置１のいずれかが正しいものであるときには（ステップＳ５においてＹＥＳ）、セキュリティ部２２は、電源の一旦オフに続くステップＳ６、Ｓ７の処理を続行する。２つの識別番号が一致しないときには、つまり、ユーザが選択した複数の自動料金収受用端末装置１のいずれかが誤ったものであるときには（ステップＳ５においてＮＯ）、セキュリティ部２２は、電源の一旦オフに続くステップＳ６、Ｓ７の処理を中止する。そして、セキュリティ部２２は、２つの識別番号を一致させるまで、複数の自動料金収受用端末装置１のいずれかを選択させる（ステップＳ４、Ｓ５）。
【００２９】
以上に説明したように、有料道路の入口までに自動料金収受用端末装置１の認証を行なった後に、有料道路の途中で自動料金収受用端末装置１の認証を再度行なう時に、有料道路の入口までに認証を行なっている自動料金収受用端末装置１に対しては認証成功とすることができて、有料道路の入口までに認証を行なっていない自動料金収受用端末装置１に対しては認証失敗とすることができる。よって、自動料金収受用端末装置１及び自動料金収受用車載装置２を切り離したとしても、複数の自動料金収受用端末装置１のいずれかを正しく選択することができ、認証処理を正確に実行することができる。
【００３０】
なお、ＥＴＣカード情報の送受信は、自動料金収受用端末装置１及び自動料金収受用車載装置２の間であっても、セキュリティの関係で暗号化されていることが望ましい。そこで、自動料金収受用車載装置２がセキュリティ部２２を備えるのみならず、自動料金収受用端末装置１もセキュリティ部を備えることが望ましい。
【００３１】
また、自動料金収受用端末装置１の識別番号は、自動料金収受用端末装置１においては、ＥＴＣカードリーダライタ部１２又はその他のメモリや記憶回路に格納すればよく、自動料金収受用車載装置２においては、電源が落とされてもデータが消えなければ、ＲＯＭ２３、ＲＡＭ２４、Ｆ−ＲＡＭ２５又はその他のメモリや記憶回路に格納すればよい。また、自動料金収受用端末装置１の識別番号は、製造番号などとすることができる。
【産業上の利用可能性】
【００３２】
本発明に係る自動料金収受用端末装置及び自動料金収受用車載装置は、車体内部に車載装置を搭載する四輪車においても、車体表面に車載装置を搭載する二輪車においても、ＥＴＣカードを盗難や衝撃から保護することができる。
【符号の説明】
【００３３】
１：自動料金収受用端末装置
２：自動料金収受用車載装置
３：路側機
１１：ＥＴＣカード
１２：ＥＴＣカードリーダライタ部
１３：無線通信部
１４：電源供給部
２１：ＣＰＵ
２２：セキュリティ部
２３：ＲＯＭ
２４：ＲＡＭ
２５：Ｆ−ＲＡＭ
２６：カード側無線通信部
２７：路側機側無線通信部
２８：電源取得部
２９：信号処理部
【図１】
2014032467.tif 000003
【図２】
2014032467.tif 000004